(57)【要約】【課題】電源コンセントから形式の異なる複数の種類の電源信号を取り出すことのできるコンセント装置を提供する。【解決手段】プラグを挿通させて電源コンセントに差し込ませるための複数の差込口を有するコンセントユニットを備えたコンセント部と、回路装置および出力ユニットを含む本体部とを備える。本体部の回路装置はコンセントユニットの複数の差込口と電気的に接続され、電源コンセントの交流電源信号に対する変換信号を生成する。本体部の出力ユニットは回路装置の変換信号を出力する。回路装置は、例えば、交流電源信号から直流電源信号を生成する変圧回路、交流電源信号に対するデジタル信号の重畳および取り出しの少なくとも一方を行うデジタル信号入力／出力インターフェイス、交流電源信号からサージ信号を除去するサージ防護回路などである。【選択図】図１Ａ
2011082128.tif 000002
【特許請求の範囲】
【請求項１】
プラグを挿通させて電源コンセントに差し込ませるための複数の差込口を有するコンセントユニットを備えたコンセント部と、
回路装置と出力ユニットを備え、前記回路装置は前記コンセントユニットの前記複数の差込口と電気的に接続され、前記電源コンセントの交流電源信号に対する変換信号を生成し、前記出力ユニットは前記回路装置の変換信号を出力する本体部と
を含むことを特徴とするコンセント装置。
【請求項２】
前記コンセントユニットの前記複数個の差込口は挿通孔構造で、前記コンセントユニットは金属線構造、弾性片構造、弾線構造、鋼球構造、ＰＣＢ回路基板及び電線等構造のうちの１つによって構成され、前記コンセント部と前記本体部は接続装置で接続され、前記接続装置は回転ヒンジ、軟性回路基板、接続コード及び電線等の構造のうちの１つで、前記回転ヒンジは、前記コンセントユニットの金属線構造、弾性片構造、弾線構造、鋼球構造、ＰＣＢ回路基板及び電線等構造のうちの１つを間隙内に挿通して前記本体部に接続することを特徴とする請求項１に記載のコンセント装置。
【請求項３】
前記回路装置は、前記交流電源信号から直流電源信号を生成する変圧回路、前記交流電源信号に対するデジタル信号の重畳および取り出しの少なくとも一方を行うデジタル信号入力／出力インターフェイス、前記交流電源信号からサージ信号を除去するサージ防護回路のうちの１つであることを特徴とする請求項１に記載のコンセント装置。
【請求項４】
プラグを挿通させて電源コンセントに差し込ませるための複数の差込口を有し、前記電源コンセントから交流電源信号を取得するコンセントユニットを備えたコンセント部と、
前記コンセント部にて取得された交流電源信号を受信して信号処理を施し、信号処理の結果を出力する本体部と、
前記コンセント部と前記本体部との間に接続されて前記コンセント部の前記交流電源信号を前記本体部に送信する接続装置と
を含むことを特徴とするコンセント装置。
【請求項５】
プラグを挿通させて電源コンセントに差し込ませるための複数の差込口を有するコンセントユニットを備えたコンセント部と、回路装置と出力ユニットを備えた本体部とを有するコンセント装置の接続方法であって、
前記コンセント部のコンセントユニットの複数の差込口と前記電源コンセントを位置合せし、プラグを前記コンセントユニットの複数の差込口に差し込むと共に、前記プラグを前記電源コンセントに差し込んで、前記コンセントユニットを前記プラグと前記電源コンセントに接続するステップと、
前記コンセントユニットを通じて前記電源コンセントから交流電源信号を取得すると共に、前記回路装置によって信号変換を行って変換信号を生成するステップと、
前記出力ユニットによって前記回路装置にて生成された変換信号を出力するステップと
を含むことを特徴とするコンセント装置の接続方法。
【発明の詳細な説明】
【技術分野】
【０００１】
コンセント装置に関し、特に並列方式で給電するコンセント装置と、その接続方法に関する。
【背景技術】
【０００２】
各種家電製品や電子装置の普及により、一般家庭では多種多様な家電製品や電子装置が購入されており、またこうした家電製品や電子装置は、例えば、液晶テレビ、プレーヤー、セットトップボックス、ステレオでホームシアター等を構成するように、相互に従属関係にあり、こうした家電製品や電子装置は整理や操作に便利なように通常接近した場所に載置されている。こうした家電製品や電子装置は何れもそれぞれ１つの標準的な電源コンセントを占拠する上に集中して載置されるので、一般家庭における有限な標準的なコンセント数では明らかに不足する。そこで一般家庭では通常電源延長コードや拡張コンセント等の装置を使用してコンセント数を増やしているものの、環境が雑然となる等の問題が生じ、移動して携帯するのにも不便である。
【０００３】
また、各種ポータブル装置も広く利用されているが、こうしたポータブル装置は電圧変換回路や調節回路を具備していないので、普通の電気用の標準コンセントから直接電源を給電して充電することができず、変圧装置によって普通の電気の交流電源信号を変換してからでないと充電が行えない。
【０００４】
既存の各種充電装置の主な構造は電子回路構造と給電装置であり、電子回路構造は変圧回路と調節回路の組合せで、給電装置はプラグ設計である。給電装置と家庭内の電源コンセントを結合して交流電源信号を取得し、変圧回路と調節回路の電圧を変換すると、伝送インターフェイスにより安定した直流電圧と電流を出力することができる。しかし、こうした充電装置の体積は通常大きく、しかも2つ以上の標準的な電源コンセントの大きさを占拠する可能性があることから、一般家庭での元々コンセントが不足している状況では使用面で一層不便となる。
【先行技術文献】
【特許文献】
【０００５】
【特許文献１】特開平１１−１２２８０２
【発明の概要】
【発明が解決しようとする課題】
【０００６】
本発明は、本発明のメカニズムが公知技術とは明らかに異なり、極薄のコンセント部と折畳式収納の機能を備えたコンセント装置を提供するものである。
本発明の別の目的は、電源コンセントから形式の異なる複数の種類の電源信号を取り出すことのできるコンセント装置を提供するものである。
【課題を解決するための手段】
【０００７】
本発明の実施形態に基づき、プラグを挿通させて電源コンセントに差し込ませるための複数の差込口を有するコンセントユニットを備えたコンセント部と、回路装置と出力ユニットを備え、前記回路装置は前記コンセントユニットの前記複数の差込口と電気的に接続され、前記電源コンセントの交流電源信号に対する変換信号を生成し、前記出力ユニットは前記回路装置の変換信号を出力する本体部とを含むことを特徴とするコンセント装置を提供する。
【０００８】
本発明の実施形態に基づき、プラグを挿通させて電源コンセントに差し込ませるための複数の差込口を有し、前記電源コンセントから交流電源信号を取得するコンセントユニットを備えたコンセント部と、前記コンセント部にて取得された交流電源信号を受信して信号処理を施し、信号処理の結果を出力する本体部と、前記コンセント部と前記本体部との間に接続されて前記コンセント部の前記交流電源信号を前記本体部に送信する接続装置とを含むことを特徴とするコンセント装置を提供する。
【０００９】
本発明の実施形態に基づき、プラグを挿通させて電源コンセントに差し込ませるための複数の差込口を有するコンセントユニットを備えたコンセント部と、回路装置と出力ユニットを備えた本体部とを有するコンセント装置の接続方法であって、前記コンセント部のコンセントユニットの複数の差込口と前記電源コンセントを位置合せし、プラグを前記コンセントユニットの複数の差込口に差し込むと共に、前記プラグを前記電源コンセントに差し込んで、前記コンセントユニットを前記プラグと前記電源コンセントに接続するステップと、前記コンセントユニットを通じて前記電源コンセントから交流電源信号を取得すると共に、前記回路装置によって信号変換を行って変換信号を生成するステップと、前記出力ユニットによって前記回路装置にて生成された変換信号を出力するステップとを含むことを特徴とするコンセント装置の接続方法を提供する。
【００１０】
以上の概述並びにこれに続く詳細な説明及び添付図面は何れも本発明が所定の目的を達するために採用した方法、手段及び効果を説明するためのものである。本発明に関するその他の目的や利点は後続の詳細と図面で順序立てて説明する。
【発明の効果】
【００１１】
以上のように本発明によれば、極薄のコンセント部と折畳式収納の機能を備えたコンセント装置を提供できるとともに、電源コンセントから形式の異なる複数の種類の電源信号を取り出すことができる。
【図面の簡単な説明】
【００１２】
【図１Ａ】本発明の実施形態１に基づくコンセント装置を示した斜視図である。
【図１Ｂ】本発明の実施形態１に基づくコンセント装置を示した側面図である。
【図１Ｃ】本発明の実施形態１に基づくコンセント装置の応用を示した外観斜視図である。
【図２】本発明の実施形態１に基づくコンセント装置のモジュールを示した概略図である。
【図３Ａ】本発明の実施形態１に基づくコンセント装置の構造の変形例を示した概略図である。
【図３Ｂ】本発明の実施形態１に基づくコンセント装置の構造の別の変形例を示した概略図である。
【図３Ｃ】本発明の実施形態１に基づくコンセント装置の構造のさらに別の変形例を示した概略図である。
【図３Ｄ】本発明の実施形態１に基づくコンセント装置の構造のさらに別の変形例を示した概略図である。
【図３Ｅ】本発明の実施形態１に基づくコンセント装置の構造のさらに別の変形例を示した概略図である。
【図３Ｆ】本発明の実施形態１に基づくコンセント装置の構造のさらに別の変形例を示した概略図である。
【図４】本発明の実施形態２に基づくコンセント装置のモジュールを示した概略図である。
【図５】本発明の実施形態３に基づくコンセント装置のモジュールを示した概略図である。
【発明を実施するための形態】
【００１３】
［実施形態１］
図１Ａ、図１Ｂは本発明の実施形態１に基づくコンセント装置を示した概略図であり、図１Ｃは本発明の実施形態１に基づくコンセント装置の応用を示した概略図である。本発明の実施形態１に基づくコンセント装置１はコンセント部１ａと本体部１ｂを含む。コンセント部１ａは交流電源信号を取得するためのコンセントユニット１０を備える。コンセントユニット１０は挿通孔構造である複数個の差込口を有する。差込口は、家電製品や電子装置などのプラグ１２を挿通させて電源コンセント１３に差し込ませるための挿通孔である。従って、プラグ１２を安定的に電源コンセント１３に差し込むために、コンセント部1ａは厚みができるだけ薄いことが好ましい。また、本体部１ｂ内には回路装置１１ａと出力ユニット１１ｂを備える。回路装置１１ａは信号処理作業を行うと共に変換信号を生成する。本実施形態では、回路装置１１ａは変圧装置であって、電源コンセント１３からの交流電源信号を受信すると共に、変圧と整流を行って直流電源信号を生成する。出力ユニット１１ｂは直流電源信号を受信してこれを出力する。
【００１４】
本実施形態のコンセント装置１の外形は極薄のコンセント部１ａ及びコンセント部１ａに接続する本体部１ｂを備える。コンセント部１ａはコンセントユニット１０を備え、このコンセントユニット１０は複数個の差込口を有するコンセント形式である。しかも複数個の差込口は挿通構造で、プラグ１２はこのコンセント部１ａの差込口を通して電源コンセント１３に差し込まれる。コンセントユニット１０はプラグ１２が差し込まれることによって、プラグ１２と電源コンセント１３との接続路に対して並列に接続され、普通の電気である交流電源信号を取得する。このうち、コンセントユニット１０の給電構造は金属線構造、弾性片構造、弾線構造、鋼球構造、ＰＣＢ回路基板及び電線等の導電機能を備えた導体のうちの１つを利用することができ、コンセント部１ａの極小の間隙を通じて交流電源信号を本体部１ｂに導入する。従って、プラグ１２がコンセントユニット１０の複数個の差込口に差し込まれると、コンセントユニット１０はプラグ１２と電源コンセント１３が接続されて、給電されたり信号が伝送されたりする。
【００１５】
また、本体部１ｂには回路装置１１ａと出力ユニット１１ｂを備え、回路装置１１ａは信号変換作業を行うが、本実施形態では回路装置１１ａは変圧装置である。変圧装置はコンセントユニット１０を通じて交流電源信号を取得すると共に、交流電源信号を変圧し整流を行って直流電源信号を生じ、出力ユニット１１ｂは回路装置１１ａに接続されて直流電源信号を受信して出力する。このうち、本実施形態の出力ユニット１１ｂはＵＳＢインターフェイスであるが、コンセント、プラグ又はその他の出力インターフェイス等でもよく、また複数個の伝送インターフェイスを備えるものの、本発明では出力ユニット１１ｂが備える伝送インターフェイスの数量や種類等は制限されない。
【００１６】
図１Ｃでは、コンセント装置１のコンセントユニット１０の差込口と電源コンセント１３を位置合せし、プラグ１２をこのコンセントユニット１０の差込口に差し込んで、このプラグ１２を電源コンセント１３に差し込む。プラグ１２は液晶テレビ１５等の家電製品や電子装置に接続され、こうした家電製品や電子装置を駆動する駆動電源を提供する。同時に、コンセント装置１はコンセントユニット１０とプラグ１２によって電源コンセント１３から交流電源信号を取得し、この交流電源信号を回路装置１１ａに送信して変圧し整流を行うと共に、直流電源信号に変換し、出力ユニット１１ｂからこの直流電源信号を出力する。最後に、携帯電話機１４等のような電子装置は伝送回線によって出力ユニット１１ｂに接続されると、直流電源信号を取得して、充電を行ったり駆動電源として携帯電話機１４等の電子装置を駆動したりする。従って、本発明のコンセント装置１を利用して、１つの電源コンセント１３で２つ以上の家電製品や電子装置等を同時に駆動することができる。
【００１７】
これによって、一般家庭内の電源コンセント１３によって複数個の家電製品や電子装置を同時に駆動することができ、環境を簡素化するという目的を達する。しかも、コンセント装置１は小さめの体積であるので、沢山の電源コンセント１３を占用せずに済み、従って家庭内の電源コンセント１３が不足する問題を緩和することができる。
【００１８】
図２は本発明の実施形態１に基づくコンセント装置のモジュールを示した概略図である。本発明の実施形態１に基づくコンセント装置１はコンセントユニット１０、コンセントユニット１０に接続する変圧装置２０、及び変圧装置２０に接続する出力ユニット１１ｂを備え、変圧装置２０は図１Ａに示す回路装置１１ａである。コンセントユニット１０は図１Ｃに示すようなプラグ１２によって電源コンセント１３に接続されて普通の電気である交流電源信号を取得する。変圧装置２０は変圧回路２１と整流回路２２を含み、変圧回路２１はコンセントユニット１０に接続されて交流電源信号を受信すると共に、交流電源信号を電圧変換して変圧電源信号を生じ、整流回路２２は変圧回路２１に接続されて変圧電源信号を受信すると共に、変圧電源信号を整流して定常電圧、定常電流である直流電源信号を生じる。出力ユニット１１ｂは変圧装置２０の整流回路２２に接続されて直流電源信号を受信すると共に、直流電源信号を出力するが、このうち出力ユニット１１ｂは本実施形態ではＵＳＢ伝送インターフェイスでよい。
【００１９】
従って、図１Ｃに示すように、コンセント装置１をプラグ１２によって電源コンセント１３に接続すると、コンセント装置１のコンセントユニット１０はプラグ１２によって電源コンセント１３に接続されて交流電源信号を取得すると共に、変圧装置２０の変圧回路２１と整流回路２２によって交流電源信号を変圧して整流し、最後に直流電源信号を生じ、出力ユニット１１ｂからこの直流電源信号を出力する。本実施形態の出力ユニット１１ｂはＵＳＢインターフェイスでよいので、ユーザーは容易くＵＳＢ伝送インターフェイスによって各種電子装置に安定的な直流電源信号を提供してこれらの電子装置を駆動したり充電したりすることができる。
【００２０】
図３Ａ、図３Ｂ、図３Ｃ、図３Ｄ、図３Ｅ及び図３Ｆは本発明の実施形態１に基づくコンセント装置の構造の変形例を示した概略図である。図３Ａに示すように、本発明の実施形態１のコンセント装置２のコンセント部１ａと本体部１ｂの間は接続装置で接続されるが、本実施形態では接続装置は回転ヒンジ３１でよく、回転ヒンジ３１の微小な間隙内で金属線構造、弾性片構造、弾線構造、鋼球構造、ＰＣＢ回路基板、軟性回路基板及び電線等の方式によって図２に示すようなコンセントユニット１０と変圧装置２０とが電気的に接続される。つまりコンセントユニット１０はそれに内蔵された金属線構造、弾性片構造、弾線構造、鋼球構造、ＰＣＢ回路基板、軟性回路基板及び電線等の方式によってプラグに接続されるが、こうした接続方式は当業者に常用されるものであるので、ここでは接続方法をこれ以上贅言しないこととする。従って、回転ヒンジ３１によって、コンセント部１ａと本体部１ｂは折畳式収納することができ、折り畳んだ際の体積が縮小しユーザーが携帯するのに便利である。
【００２１】
図３Ｂに示すように、コンセント装置３のコンセント部１ａのコンセントユニット１０は回転コンセント構造３２でよいことから、ユーザーがコンセント装置３のコンセントユニット１０を図１Ｃに示すような電源コンセント１３とプラグ１２に接続する際、回転コンセント構造３２で３６０度回転させることができる。このようにしてユーザーがコンセント装置３を使用する際、本体部１ｂを様々な方向に自由に調整して使用することができるので、ユーザーは必要とする使用角度を自由に調整することができる。また、接続装置はコンセント部１ａと本体部１ｂの間に接続されるが、本実施形態では接続装置は回転ヒンジ３３でよいことから、コンセント装置３は折畳式収納の機能をも有することができる。
【００２２】
図３Ｃに示すように、コンセント装置４のコンセント部１ａは本体部１ｂに比べて面積が小さくてもよいことから、一層軽便な体積と重量を有し、ユーザーが携帯して使用するのに便利である。また、コンセント部１ａは第１コンセント１０ａ、１０ｂと第２コンセント１０ａ’、１０ｂ’を備え、第１コンセント１０ａ、１０ｂと第２コンセント１０ａ’、１０ｂ’の差込口は異なる方向にあるため、ユーザーはこの第１コンセント１０ａ、１０ｂと第２コンセント１０ａ’、１０ｂ’が異なる方向にある特性によって、本体部１ｂを異なる方向に調整して使用することができる。本実施形態では、第１コンセント１０ａ、１０ｂと第２コンセント１０ａ’、１０ｂ’は互いに直交方向であるため、ユーザーは０度、９０度、１８０度、２７０度等の異なる方向で使用することができ、使用面での利便性が向上する。本発明の精神に則り、２組の第１コンセント１０ａ、１０ｂと第２コンセント１０ａ’、１０ｂ’に限定されず、複数組の異なる方向のコンセントを備えることもでき、コンセント装置４の本体部１ｂはユーザーが選択使用できるよう複数方向を備える。また、接続装置はコンセント部１ａと本体部１ｂの間に接続され、本実施形態では接続装置は回転ヒンジ３４でよいことから、コンセント装置４は折畳式収納の機能をも有することができる。
【００２３】
図３Ｄに示すように、コンセント装置５のコンセント部１ａと本体部１ｂの間は接続装置で接続されるが、本実施形態では、接続装置は回転ヒンジ３５でよく、この回転ヒンジ３５はコンセント部１ａと本体部１ｂを相互に水平に回転させる移動関係を有することから、コンセント装置５は水平回転方式で折り畳んで収納することができる。
【００２４】
図３Ｅに示すように、コンセント装置６のコンセント部１ａと本体部１ｂの間は接続装置で接続されるが、本実施形態では、接続装置は軟性回路板３６又はその他の類似した接続装置でよく、また本体部１ｂの一側には固定構造（図示せず）を設置することができ、この固定構造は両面テープ、ベルクロ・テープ（登録商標）（面ファスナー（登録商標））、磁石又はほぞ等でよく、本実施形態では、接続装置は接続コード、電線等でもよい。従って、コンセント装置６の本体部１ｂとコンセント部１ａは接続と延長の機能を有し、ユーザーがコンセント部１ａを図１Ｃに示すように、プラグ１２を電源コンセント１３に接続して、軟性回路基板３６等の材質で構成された接続装置によって、本体部１ｂをその他の位置に載置し、また固定構造を利用して本体部１ｂをどの位置にでも固定することができ、使用の利便性が向上する。
【００２５】
図３Ｆに示すように、コンセント装置７のコンセント部１ａと本体部１ｂの間は接続装置で接続されるが、本実施形態では、接続装置は回転ヒンジ３７でよく、この回転ヒンジ３７はコンセント部１ａと本体部１ｂの間に隠されているので、本実施形態のコンセント装置７は美的外形を有する。この回転ヒンジ３７はコンセント部１ａと本体部１ｂを相互に水平に回転させる移動関係を有し、つまりコンセント部１ａは回転ヒンジ３７によって本体部１ｂの下方に回転移動して折り畳んで収納することができる。
【００２６】
［実施形態２］
図４は本発明の実施形態２に基づくコンセント装置のモジュールを示した概略図である。本発明の実施形態２に基づくコンセント装置８は、実施形態１と同様の外形構造及び図２と同様のコンセントユニット１０を備える。また回路装置１１ａはコンセントユニット１０と出力ユニット１１ｂの間に接続され、信号処理を行って変換信号を生じるが、本実施形態では、回路装置１１ａはデジタル信号入力／出力インターフェイス４０である。デジタル信号入力／出力インターフェイス４０はデジタル信号を受信すると共に、デジタル信号を変換して交流電源信号に載せ、送電線でデジタル信号を送信し、同様にデジタル信号入力／出力インターフェイス４０は送電線から交流電源信号を受信して交流電源信号に載せたデジタル信号をリカバリする。従って、複数個のコンセント装置８と建造物に張り巡らされている送電線を利用して送電線ネットワークを形成してデジタル信号を送信する。本実施形態の出力ユニット１１はデジタル信号を電子装置（例：コンピュータ）に入力／出力するための１つ又は複数個のＲＪ−４５インターフェイスでよく、出力ユニット１１ｂもＨＤＭＩ（登録商標）（ＲＴＭ）インターフェイス、ＤＶＩ（登録商標）（ＲＴＭ）インターフェイス、Ｓ端子等のその他の種類のインターフェイスでよく、本発明は出力ユニット１１ｂの種類と数量を制限しない。
【００２７】
ユーザーはコンセント装置８を図１Ｃに示すようなプラグ１２と電源コンセント１３で接続することができる。このうち電源コンセント１３は送電線（図示せず）に接続され、従ってコンセント装置８はプラグ１２と電源コンセント１３によって送電線（図示せず）に接続することができる。電子装置（例：コンピュータ）が出力ユニット１１ｂに接続されると、デジタル信号を出力ユニット１１ｂでデジタル信号入力／出力インターフェイス４０に送信し、デジタル信号入力／出力インターフェイス４０はデジタル信号を変換すると共に交流電源信号に載せ、コンセントユニット１０により送電線に送信する。同様にコンセントユニット１０も送電線から交流電源信号を受信することができ、デジタル信号入力／出力インターフェイス４０によって交流電源信号に載せたデジタル信号をリカバリすると共に、出力ユニット１１ｂでデジタル信号を電子装置（例：コンピュータ）に送信することができる。
【００２８】
本実施形態では、ユーザーは２つ又は複数のコンセント装置８を使用することができ、建造物に張り巡らされている送電線によって送電線ネットワークを形成してデジタル信号を送信することができる。
【００２９】
本発明の実施形態２に基づくコンセント装置８はまた、図３Ａから図３Ｆのような外形を有することから、本発明の実施形態２のコンセント装置８は、送電線ネットワークブリッジでよく、その上折畳式収納の機能も備え、ユーザーは一層便利に携帯して使用することができる。
【００３０】
［実施形態３］
図５は本発明の実施形態３に基づくコンセント装置のモジュールを示した概略図である。本発明の実施形態３に基づくコンセント装置９は、図１Ａと同様の外形と図２と同様のコンセントユニット１０を備え、また回路装置１１ａはコンセントユニット１０と出力ユニット１１ｂとの間に接続されるが、本実施形態では、回路装置１１ａはサージ防護回路５０でよく、出力ユニット１１ｂはプラグ、コンセント、ＵＳＢインターフェイス等の伝送インターフェイスでよい。従って、コンセント装置９は図１Ｃのようなプラグ１２で電源コンセント１３に接続されると、サージ防護装置を形成することができる。送電線には常に高電圧又は高電流のサージ信号が有り、こうしたサージ信号によって家電製品や電子装置の使用が不安定となりがちで、さらには耐用年数まで短縮されてしまう。また、雷雨の天気では稲妻が送電線を直撃すると、送電線にサージ信号を生じ、こうしたサージ信号も家電製品や電子装置を損壊してしまう。このため、本実施形態によりコンセント装置９に接続する家電製品や電子装置にはサージ防護能力が備わっている。
【００３１】
本実施形態は図１Ｃに示すようなプラグ１２で電源コンセント１３に接続されると、交流電源信号がコンセントユニット１０によってサージ防護回路５０に送信され、電流と電圧が正常状態にあるとき、出力ユニット１１ｂは交流電源信号を出力ユニット１１ｂに接続された家電製品や電子装置に正常に出力することができると同時に、プラグ１２に接続された家電製品や電子装置は電圧／電流の急激な変化の無い交流電源信号を受信することができる。サージ信号が発生したとき、サージ防護回路５０が直ちにこのサージ信号を遮断するため、出力ユニット１１ｂやプラグ１２は安定した交流電源信号を出力することができ、これらに接続された家電製品や電子装置の損壊を防止し、図１Ｃに示すような液晶テレビ１５や携帯電話機１４は保護される。サージ信号がこのコンセント装置９の遮断能力をオーバーした場合、コンセント装置９は損壊するものの、これに接続された家電製品や電子装置は高電圧や高電流のサージ信号による損壊から免れる。
【００３２】
本発明の実施形態３に基づくコンセント装置９はまた、図３Ａから図３Ｆのような外形を有することから、本発明の実施形態３のコンセント装置９は、落雷防止及びサージ防止機能を備えると共に折畳式収納に機能も備え、ユーザーは一層便利に携帯して使用することができる。
【００３３】
図２、図３及び図５では、本発明の精神に則り、本発明の実施形態１と実施形態３を結合することもでき、つまりコンセントユニット１０と出力ユニット１１ｂ間を接続する回路装置１１ａは変圧装置２０とサージ防護回路５０の結合であり、サージ防護機能を備えた変圧器を形成することができる。また、本発明の実施形態２と実施形態３を結合することもでき、つまりコンセントユニット１０と出力ユニット１１ｂ間を接続する回路装置１１ａはサージ防護回路５０とデジタル信号入力／出力インターフェイス４０の結合であり、サージ防護機能を備えた送電線ネットワークブリッジ装置を形成することができる。
【００３４】
但し、以上の記述は本発明の具体的実施例の詳細な説明と図面に過ぎず、本発明を制限するものではない。本発明の全ての範囲は下記の特許請求の範囲を基準とし、当業者が本発明の分野で容易に思い付く変更又は修飾は全て以下本願で定義する特許請求の範囲内に含まれる。
【符号の説明】
【００３５】
１、２、３、４、５、６、７、８、９  コンセント装置
１ａ  コンセント部
１ｂ  本体部
１０  コンセントユニット
１１ａ  回路装置
１１ｂ  出力ユニット
１２  プラグ
１３  電源コンセント
１４  携帯電話機
１５  液晶テレビ
２０  変圧装置
２１  変圧回路
２２  整流回路
３１  回転ヒンジ
３２  回転コンセント構造
３３、３４、３５、３７  回転ヒンジ
１０ａ、１０ｂ  第１コンセント
１０ａ’、１０ｂ’  第２コンセント
３６  軟性回路基板
４０  デジタル信号入力／出力インターフェイス
５０  サージ防護回路
【図１Ａ】
2011082128.tif 000003
【図１Ｂ】
2011082128.tif 000004
【図１Ｃ】
2011082128.tif 000005
【図２】
2011082128.tif 000006
【図３Ａ】
2011082128.tif 000007
【図３Ｂ】
2011082128.tif 000008
【図３Ｃ】
2011082128.tif 000009
【図３Ｄ】
2011082128.tif 000010
【図３Ｅ】
2011082128.tif 000011
【図３Ｆ】
2011082128.tif 000012
【図４】
2011082128.tif 000013
【図５】
2011082128.tif 000014